(57)【要約】【課題】フェースプレートを開放させる時、ヒンジを使わずに、横方向にスライドさせて開けることにより、フェースプレートがかご室内に大きく突出しないエレベータ用操作表示器を得る。【解決手段】内部に押ボタンスイッチ類が収納されたボックスと、このボックスの開口部を覆い、上記押ボタンスイッチ類に対応する位置に複数の孔が形成されたフェースプレートとから構成されたものにおいて、フェースプレートを開放する時、フェースプレートを一旦手前に引き出してから横方向にスライド移動させることにより、ボックス開口部を開放する。ボックスに水平方向に形成された移動用孔を有するフェースプレート移動用板を設ける。フェースプレートの一側部背面の上記移動用孔と対向する位置に移動用孔と互いに係合する移動用ピンを突設する。【選択図】      図２
2005008302.tif 000002
【特許請求の範囲】
【請求項１】
内部に押ボタンスイッチ類が収納されたボックスと、このボックスの開口部を覆い、上記押ボタンスイッチ類に対応する位置に複数の孔が形成されたフェースプレートとから構成されたエレベータ用操作表示器において、上記フェースプレートを開放する時、フェースプレートを一旦手前に引き出してから横方向にスライド移動させることにより、上記ボックス開口部を開放することを特徴とするエレベータ用操作表示器。
【請求項２】
ボックスに水平方向に形成された移動用孔を有するフェースプレート移動用板を設け、フェースプレートの一側部背面の上記移動用孔と対向する位置に移動用孔と互いに係合する移動用ピンを突設したことを特徴とする請求項１記載のエレベータ用操作表示器。
【請求項３】
移動用ピンの中間部に移動用孔の上下幅より大径のストッパーを設けたことを特徴とする請求項２記載のエレベータ用操作表示器。
【請求項４】
移動用孔の一端部上方にストッパーの外径よりも大きいフェースプレート取り外し用の抜き孔を連続して形成したことを特徴とする請求項３記載のエレベータ用操作表示器。
【請求項５】
フェースプレートの他側部背面に起倒自在に構成され、フェースプレートの開放時に起立されるフェースプレート安定用固定板を設けたことを特徴とする請求項１〜請求項４のいずれかに記載のエレベータ用操作表示器。
【請求項６】
フェースプレート安定用固定板の先端部に、固定板の起立時にかご室壁面に当接する緩衝部を設けたことを特徴とする請求項５記載のエレベータ用操作表示器。
【請求項７】
ボックス内の移動用孔の一端部と対向する位置に、フェースプレートの移動開放時にフェースプレートの移動用ピンの先端部と当接する支え板を設けたことを特徴とする請求項１〜請求項６のいずれかに記載のエレベータ用操作表示器。
【発明の詳細な説明】
【０００１】
【発明の属する技術分野】
この発明はエレベータの操作ボタンを操作するためのエレベータ用操作表示器に関するものである。
【０００２】
【従来の技術】
従来のエレベータ用操作表示器においては、フェースプレートをボックスに開閉自在に支持する開閉機構を備えている。この開閉機構は、ボックスにフェースプレートを開閉自在かつその前後方向に摺動自在に支持するヒンジ機構部と、ボックス内に位置するヒンジ機構部の摺動部位を覆うカバーとによって構成される。そして、このエレベータ用操作表示器にあっては、ボックスに対してフェースプレートを手前に引き或いは後へ押すことによりフェースプレートはボックスに対して開閉されると同時に前後方向に摺動されることになる。（例えば、特許文献１参照）。
【０００３】
【特許文献１】
実公平１−３８１３５号公報（第２頁、第２−３図）
【０００４】
【発明が解決しようとする課題】
上記従来のエレベータ用操作表示器にあっては、フェースプレートを開放させた時、フェースプレートの幅分がかご室内に突出した状態となるため、操作表示器の保守、点検等でかご室内を移動中又は作業中に突出したフェースプレートにぶつかったりすることがあり、怪我やフェースプレート部の故障の原因となる。また、ヒンジ機構部の回転でフェースプレートを開放させている為、フェースプレートが閉じてきて、作業中に手指を挟む等の恐れがあった。
また、ヒンジ機構部の回転構造によりフェースプレート側とボックス側とを繋ぐ配線は余裕をみて長めにしなければならない為、配線が噛み込んでフェースプレートが閉まらない場合がある。
【０００５】
この発明は、上述のような課題を解決するためになされたもので、その目的は、フェースプレートを開放させる時、ヒンジを使わずに、横方向にスライドさせて開けることにより、フェースプレートがかご室内に大きく突出しないエレベータ用操作表示器を提供するものである。
【０００６】
【課題を解決するための手段】
この発明に係るエレベータ用操作表示器は、内部に押ボタンスイッチ類が収納されたボックスと、このボックスの開口部を覆い、上記押ボタンスイッチ類に対応する位置に複数の孔が形成されたフェースプレートとから構成されたものにおいて、フェースプレートを開放する時、フェースプレートを一旦手前に引き出してから横方向にスライド移動させることにより、ボックス開口部を開放するようにしたものである。
【０００７】
【発明の実施の形態】
実施の形態１．
図１はこの発明の実施の形態１におけるエレベータ用操作表示器を示す分解斜視図、図２はエレベータ用操作表示器のフェースプレート開放時の状態を示す底面方向から見た拡大断面図である。
図において、エレベータ用操作表示器は、内部に行先指示用押ボタンスイッチやドア開閉用押ボタンスイッチ類（図示せず）が収納されたボックス１と、このボックスの前面開口部を覆い、表面には上記押ボタンスイッチ類に対応する位置に複数の孔が形成されたフェースプレート２とから構成されている。上記ボックス１の開口部の上下にはコ字状のフェースプレート移動用板３が設けられ、このフェースプレート移動用板３の前面平坦面は上記ボックス１の開口縁部と面一又は上記フェースプレート２の厚み分だけ後方に下げられている。上記フェースプレート移動用板３の前面平坦面には水平方向に形成された移動用孔４が設けられている。この移動用孔４の一端部上方には連続して上記フェースプレート２を取り外す時の取り外し用抜き孔５が形成されており、この抜き孔５は後述するストッパー７の外径よりも大きくされている。一方、上記フェースプレート２の一側端部背面の上下には上記移動用孔４と対向する位置に移動用孔４と互いに係合する移動用ピン６が突設されており、この移動用ピン６の中間部には上記移動用孔４の上下幅より大径のストッパー７が設けられている。このストッパー７の存在により、上記フェースプレート２を手前に引いた時でも移動用孔４にぶつかって停止するので、フェースプレート２が大きく突出することもなく、またフェースプレート２の外され防止を兼ねることもできる。上記フェースプレート２の他側端部背面の上下には、フェースプレート２に対して起倒自在に構成されたフェースプレート安定用固定板８が設けられている。この固定板８は通常は倒れた収納状態にあるが、フェースプレート２を移動させた開放時には起立され、その先端に装着されたゴム等からなる緩衝部９をかご室壁面１０に当接させてフェースプレート２を安定させる。また、上記ボックス１内の移動用孔４の一端部と対向する位置には、上記フェースプレート２の移動開放時に、フェースプレート２の移動用ピン６をボックス１側に入り込ませない為の支え板１１が設けられている。
【０００８】
このように構成されたエレベータ用操作表示器においては、フェースプレート２を開放する時、まずフェースプレート２を一旦手前に引き出すと、移動用ピン６のストッパー７が移動用板３の移動用孔４の上下縁部に当って止まる。その後、移動用ピン６は移動用孔４にガイドされ、フェースプレート２を左側方向（図２の矢印方向）にスライド移動させる。フェースプレート２の移動後は、移動用ピン６の先端部が支え板１１前面に当接され、フェースプレート２を安定させる為に固定板８を収納位置から起立させ、その先端部のゴム等からなる緩衝部９をかご室壁面１０に当接させる（図２参照）。
【０００９】
このような構造にすることにより、フェースプレート２の出っ張り量は手前に引き出した分のみとなる為、かご室内に設置されたフェースプレート２を開放した時でも、かご室内はフェースプレート開放前とほぼ同等のスペースを確保することができる。また、ボックス１内にも容易に手が入れられるので作業性が向上し、フェースプレート側とボックス側とを繋ぐ配線を短くできるので、配線の噛み込みも解消される。また、フェースプレート２を取り外したい場合は、移動用ピン６を移動用板３の移動用孔４の一端部上方に連続形成されたストッパー７の外径よりも大きい抜き孔５まで移動させれば、そこから容易に取り外すことができる。
【００１０】
【発明の効果】
この発明は以上説明したように、内部に押ボタンスイッチ類が収納されたボックスと、このボックスの開口部を覆い、上記押ボタンスイッチ類に対応する位置に複数の孔が形成されたフェースプレートとから構成されたエレベータ用操作表示器において、フェースプレートを開放する時、フェースプレートを一旦手前に引き出してから横方向にスライド移動させることにより、ボックス開口部を開放するようにしたので、フェースプレートの出っ張り量は手前に引き出した分のみとなる為、かご室内に設置されたフェースプレートを開放した時でも、かご室内はフェースプレート開放前とほぼ同等のスペースを確保することができ、保守、点検等でかご室を移動中又は作業中フェースプレートにぶつかったりすることが解消される。また、作業中にフェースプレートが閉じてくる恐れがなく、ボックス内の作業が容易となり、手指を挟む恐れがない。フェースプレート側とボックス側とを繋ぐ配線を短くできるので、配線の噛み込みも解消される。
【図面の簡単な説明】
【図１】この発明の実施の形態１におけるエレベータ用操作表示器を示す分解斜視図である。
【図２】この発明の実施の形態１におけるエレベータ用操作表示器のフェースプレート開放時の状態を示す底面方向から見た拡大断面図である。
【符号の説明】
１  ボックス
２  フェースプレート
３  フェースプレート移動用板
４  移動用孔
５  抜き孔
６  移動用ピン
７  ストッパー
８  フェースプレート安定用固定板
９  緩衝部
１０  かご室壁面
１１  支え板
【図１】
2005008302.tif 000003
【図２】
2005008302.tif 000004